(57)【要約】【課題】通信装置からの発信に起因するトラブルを適切に防止する。【解決手段】携帯電話機１００は、発信指示された通信先の通信装置を特定する通信先識別子が、あらかじめ通信装置を特定する識別子が登録された記憶部に登録されているか否かを判定する登録判定部１５６を備える。また、携帯電話機１００は、登録判定部１５６によって通信先識別子が登録されていると判定されたら、通信先の通信装置に対する発信を行い、登録されていないと判定されたら、あらかじめ設定された特定の通信装置に対して発信を行う発信制御部１５８を備える。【選択図】図６
2012244473.tif 000002
【特許請求の範囲】
【請求項１】
発信指示された通信先の通信装置を特定する通信先識別子が、あらかじめ通信装置を特定する識別子が登録された記憶部に登録されているか否かを判定する判定部と、
前記判定部によって前記通信先識別子が登録されていると判定されたら、前記通信先の通信装置に対する発信を行い、登録されていないと判定されたら、あらかじめ設定された特定の通信装置に対して発信を行う発信制御部と、
を備えることを特徴とする通信装置。
【請求項２】
前記特定の通信装置から送信された通知情報を受信する受信部と、
前記受信部によって受信された通知情報に前記通信先識別子が含まれている場合には、該通信先識別子を前記記憶部に登録する登録部と、
をさらに備えることを特徴とする請求項１に記載の通信装置。
【請求項３】
通信装置に、
発信指示された通信先の通信装置を特定する通信先識別子が、あらかじめ通信装置を特定する識別子が登録された記憶部に登録されているか否かを判定し、
前記判定の結果、前記通信先識別子が登録されていると判定されたら、前記通信先の通信装置に対する発信を行い、登録されていないと判定されたら、あらかじめ設定された特定の通信装置に対して発信を行う、
処理を実行させることを特徴とする通信制御プログラム。
【発明の詳細な説明】
【技術分野】
【０００１】
本発明は、通信装置及び通信制御プログラムに関する。
【背景技術】
【０００２】
近年、携帯電話機などの通信装置の普及に伴い、各種のトラブルが増加している。例えば、心当たりのない電話番号から電話がかかってきてユーザが出る前に電話が切れた場合、着信履歴として相手先の電話番号が残る。そこで、着信履歴に残された電話番号にコールバックで電話をかけると、音声案内等にしたがって有料番組に接続されて多額の請求書が送られる場合がある。
【０００３】
また、着信履歴に残された電話番号にコールバックで電話をかけると、携帯電話機の発番号通知機能によって、悪徳業者のデータベースにユーザの電話番号が登録され、法外な請求書が送られる等のトラブルもある。
【０００４】
そこで従来、ユーザが設定した回数より着信の呼び出し音の鳴動回数が小さい場合には、着信時の通知を制限することが知られている。また、ユーザが設定した回数より着信の呼び出し音の鳴動回数が小さく、電話帳に未登録の電話番号からの着信に対して、コールバックで電話をかける際には、自動的に発信者番号を非通知に設定することが知られている。
【先行技術文献】
【特許文献】
【０００５】
【特許文献１】特開２００７−３１２４３７号公報
【発明の概要】
【発明が解決しようとする課題】
【０００６】
しかしながら、従来技術は、通信装置からの発信に起因するトラブルを適切に防止することについては考慮されていない。
【０００７】
すなわち、従来技術を用いれば、着信履歴からのコールバック時に所定の条件を満たしたら自動的に発信者番号が非通知に設定されるので、ユーザの電話番号が悪徳業者のデータベースに登録されるのを防止することができる。
【０００８】
しかしながら、発信者番号を非通知に設定したとしても、例えば音声案内等にしたがって有料番組に接続されて多額の請求書が送られるおそれがある。特に近年、判断能力が十分ではない高齢者の携帯電話機の保有が増加しており、高齢者を狙った振り込め詐欺も増加している。したがって、高齢者などの判断能力が十分ではない者が所有する通信装置から発信を行う場合には、発信先の通信装置の所持者の悪意の有無を事前にチェックすることが重要となる。
【０００９】
開示の技術は、上記に鑑みてなされたものであって、通信装置からの発信に起因するトラブルを適切に防止することができる通信装置及び通信制御プログラムを実現することを目的とする。
【課題を解決するための手段】
【００１０】
本願の開示する通信装置は、一つの態様において、発信指示された通信先の通信装置を特定する通信先識別子が、あらかじめ通信装置を特定する識別子が登録された記憶部に登録されているか否かを判定する判定部を備える。また、通信装置は、前記判定部によって前記通信先識別子が登録されていると判定されたら、前記通信先の通信装置に対する発信を行い、登録されていないと判定されたら、あらかじめ設定された特定の通信装置に対して発信を行う発信制御部を備える。
【発明の効果】
【００１１】
本願の開示する通信装置の一つの態様によれば、通信装置を用いた通信に起因するトラブルを適切に防止することができる。
【図面の簡単な説明】
【００１２】
【図１】図１は、携帯電話機の処理の概要を説明する図である。
【図２】図２は、特定の携帯電話機から通知されるｖＣａｒｄの内容の一例を示す図である。
【図３】図３は、携帯電話機のハードウェア構成を示す図である。
【図４】図４は、携帯電話機の登録チェック前の電話帳の内容の一例を示す図である。
【図５】図５は、携帯電話機の登録チェック後の電話帳の内容の一例を示す図である。
【図６】図６は、携帯電話機の機能ブロックを示す図である。
【図７】図７は、携帯電話機の処理のフローチャートである。
【図８】図８は、携帯電話機の処理のフローチャートである。
【発明を実施するための形態】
【００１３】
以下に、本願の開示する通信装置及び通信制御プログラムの実施形態を図面に基づいて詳細に説明する。なお、この実施形態により開示技術が限定されるものではない。例えば、以下の実施形態では、通信装置の一例として携帯電話機を挙げて説明するが、これに限らず、通信機能を備えた通信装置であればよい。
【００１４】
まず初めに、本実施形態の携帯電話機の処理の概要を説明する。図１は、携帯電話機の処理の概要を説明する図である。図１は、本実施形態の携帯電話機Ａが、電話帳に登録されていない携帯電話機Ｃからの着信を受け、コールバックによって携帯電話機Ｃに発信する場合の一例を示す図である。また、図１は、携帯電話機Ａの電話帳に携帯電話機Ｃが登録されていない場合の発信先として、携帯電話機Ｂがあらかじめ設定されている場合の一例を示す図である。例えば、携帯電話機Ａの所持者が高齢者である場合は、携帯電話機Ａの所持者の家族（子供）など、判断能力を十分に有する者が所持する携帯電話機などが、特定の携帯電話機Ｂとしてあらかじめ設定される。
【００１５】
図１に示すように、まず、携帯電話機Ｃは携帯電話機Ａに対して発信する（ステップＳ１０１）。携帯電話機Ａは、携帯電話機Ｃから発信された電話を着信する（ステップＳ１０２）。携帯電話機Ｃは、携帯電話機Ａに着信があった後、呼を切断する（ステップＳ１０３）。これにより、携帯電話機Ａの着信履歴には、携帯電話機Ｃの電話番号が残る。
【００１６】
続いて、携帯電話機Ａは、着信履歴に残された携帯電話機Ｃの電話番号に対する発信指示を利用者から受け付ける（ステップＳ１０４）。すると、携帯電話機Ａは、電話帳に携帯電話機Ｃの電話番号が登録されているか否かを判定する（ステップＳ１０５）。ここで、携帯電話機Ａは、電話帳に携帯電話機Ｃの電話番号が登録されていないと判定するので（ステップＳ１０５、Ｎｏ）、発信先を携帯電話機Ｂに自動的に変更して発信を行う（ステップＳ１０６）。なお、携帯電話機Ａから携帯電話機Ｂへ発信された電話に含まれるＳＥＴＵＰ信号には携帯電話機Ｃの電話番号が追加される。
【００１７】
携帯電話機Ｂは、携帯電話機Ａから発信された電話を着信する（ステップＳ１０７）。続いて、携帯電話機Ｂは、呼を切断する（ステップＳ１０８）。これにより、携帯電話機Ｂには、携帯電話機Ｃの電話番号が通知される。そして、携帯電話機Ｂは、呼を切断すると、自動的に携帯電話機Ｃに対して発信する（ステップＳ１０９）。
【００１８】
一方、携帯電話機Ａは、ステップＳ１０６において発信先を携帯電話機Ｂに変更して発信を行った後、「通信先を確認します。電話を切ってしばらくお待ちください」などのガイダンスをスピーカから出力させる（ステップＳ１１０）。そして、携帯電話機Ａは、呼を切断する（ステップＳ１１１）。なお、携帯電話機Ａは、携帯電話機Ｂが携帯電話機Ａから発信された電話を着信した後、携帯電話機Ｂのユーザと通話を行ってからガイダンスを生成することもできるし、通話を行うことなくガイダンスを生成することもできる。
【００１９】
携帯電話機Ｃは、携帯電話機Ｂから発信された電話を着信する（ステップＳ１１２）。そして、携帯電話機Ｂのユーザと携帯電話機Ｃのユーザとの間で通話が行われる（ステップＳ１１３）。携帯電話機Ｂのユーザは、携帯電話機Ｃのユーザとの通話によって、携帯電話機Ｃのユーザが悪意のある者であるか否かを判断する。ここでは、携帯電話機Ｂのユーザは、携帯電話機Ｃのユーザを悪意のない者であり、携帯電話機Ｃは安全な発信先であると判断したものとする。
【００２０】
携帯電話機Ｂは、呼を切断し（ステップＳ１１４）、携帯電話機Ｂの電話帳に携帯電話機Ｃの電話番号を登録する（ステップＳ１１５）。携帯電話機Ｂは、携帯電話機Ｃの電話番号が電話帳に登録されると、通知情報を生成して携帯電話Ａに送信する。例えば、自動又は手動でＳＭＳ（Short Message Service）を利用して、ｖＣａｒｄ方式で携帯電話機Ｃの電話番号を携帯電話機Ａに送信する（ステップＳ１１６）。なお、ｖＣａｒｄとは、電子名刺情報の規格であり、項目として名前、住所、電話番号等を含むことが可能である。また、ｖＣａｒｄのみならず、SMSや電子メールに添付可能であり、電話番号情報を含むことが可能である形式であればどのようなフォーマットのデータであっても構わない。更に、SMSや電子メールの本文やヘッダに電話番号情報を含めることも考えられるが、本実施の形態では、ｖＣａｒｄを用いた例を説明する。
【００２１】
ここで、携帯電話機Ｂから送信されるｖＣａｒｄの一例を説明する。図２は、特定の携帯電話機から通知されるｖＣａｒｄの内容の一例を示す図である。図２に示すように、ｖＣａｒｄのフォーマット３００は、「ＢＥＧＩＮ：ＶＣＡＲＤ」で始まり、「ＥＮＤ：ＶＣＡＲＤ」で終了する。また、フォーマット３００には、ｖＣａｒｄのバージョンを示す「ＶＥＲＳＩＯＮ：２．１」と、ｖＣａｒｄが表現するオブジェクトの名前として「Ｎ：携帯電話機Ｃ」とが含まれる。また、フォーマット３００には、ｖＣａｒｄが表現するオブジェクトの名前に対応するフォーマット化されたテキストを指定するため、「ＦＮ：携帯  電話機Ｃ」が含まれる。また、フォーマット３００には、ｖＣａｒｄが表現するオブジェクトとの電話通信のための電話番号を指定し、住居に関連した電話番号を表し、音声電話の電話番号を表すために、「ＴＥＬ；ＨＯＭＥ；ＶＯＩＣＥ：０９０−１２３４−５６７８」が含まれる。
【００２２】
図１の説明に戻って、携帯電話機Ａは、携帯電話機ＢからＳＭＳを受信したら、受信した携帯電話機Ｃの電話番号を、携帯電話機Ｂの電話帳に同期して携帯電話機Ａの電話帳に登録する（ステップＳ１１７）。そして、携帯電話機Ａは、携帯電話機Ｃの電話番号に再度発信したら（ステップＳ１０４）、電話帳に携帯電話機Ｃの電話番号が登録されていると判定されるので（ステップＳ１０５、Ｙｅｓ）、そのまま携帯電話機Ｃへ通常発信を行う（ステップＳ１１８）。
【００２３】
以上のように、本実施形態の携帯電話機Ａによれば、携帯電話機Ａからの発信に起因するトラブルの発生を適切に防止することができる。すなわち、携帯電話機Ａから発信が行われる際に、発信先の携帯電話機Ｃを特定する識別子（電話番号）が電話帳に登録されているか否かを判定し、登録されている場合には携帯電話機Ｃの所有者が悪意のない者であると判断できるので、そのまま通常発信を行う。一方、携帯電話機Ｃの識別子が登録されていない場合は、あらかじめ設定された特定の携帯電話機Ｂに発信先を自動的に切り替えることにより、電話帳に登録されていない電話番号に発信が行われた旨が携帯電話機Ｂに通知される。したがって、この通知を受けた携帯電話機Ｂの所持者は、携帯電話機Ｃの所持者が悪意のある者であるか否かを事前に確認することができる。そして、確認の結果、携帯電話機Ｃの所持者に悪意がないと判断すれば、携帯電話機Ｃの電話番号を電話帳に登録することにより、携帯電話機Ｃの電話番号が携帯電話機Ａに送信され、携帯電話機Ａの電話帳にも登録される。よって、その後携帯電話機Ａから携帯電話機Ｃへ発信を行うと、そのまま携帯電話機Ｃに対して発信が行われる。また、仮に携帯電話機Ｃの所持者に悪意の疑いがある場合には、携帯電話機Ａには携帯電話機Ｃの電話番号が登録されないので、携帯電話機Ａから携帯電話機Ｃへ直接発信が行われることを防止することができる。
【００２４】
次に、本実施形態の携帯電話機の詳細を説明する。図３は、携帯電話機のハードウェア構成を示す図である。図３に示すように、本実施形態の携帯電話機１００は、アンテナ１０２、無線部１０４、スピーカ１０８、マイク１１０、及びオーディオ入出力部１１２を備える。また、携帯電話機１００は、記憶部１３０、表示部１３６、キー入力部１３８、及びプロセッサ１４０を備える。
【００２５】
無線部１０４は、アンテナ１０２を介して音声や文字などの各種データの無線通信を行う。また、オーディオ入出力部１１２は、マイク１１０を介して音声を入力するとともにスピーカ１０８を介して音声を出力する入出力インターフェースである。
【００２６】
記憶部１３０は、例えばＲＯＭ(Read  Only  Memory)１３２やＲＡＭ（Random  Access  Memory）１３４を含み、携帯電話機１００の各種機能を実行するためのデータ、各種機能を実行するための各種プログラム、携帯電話機１００の電話帳等が格納される。電話帳には、携帯電話機の名前に対応付けて、携帯電話機を特定する識別子となる電話番号が格納される。
【００２７】
ここで、記憶部１３０に格納される電話帳の一例を説明する。図４は、携帯電話機の登録チェック前の電話帳の内容の一例を示す図であり、図５は、携帯電話機の登録チェック後の電話帳の内容の一例を示す図である。図４,図５は、携帯電話機Ｃの登録チェック前には携帯電話機Ｂのみが電話帳に登録されており、登録チェック後に、携帯電話機Ｃが追加された場合の一例を示すものである。
【００２８】
図４に示すように、携帯電話機１００の電話帳２００は、携帯電話機の名前２０２の項目と、電話番号２０４の項目とを有する。また、図４に示すように、発信先の電話番号が電話帳に登録されているか否かの登録チェック前には、電話帳２００には、名前２０２の項目に「携帯電話機Ｂ」が登録されている。また、電話帳２００の電話番号２０４の項目には、携帯電話機Ｂに対応して「０９０１１１１１１１１」という電話番号が登録されている。
【００２９】
一方、図５に示すように、発信先の携帯電話機の登録チェックがされて、発信先の携帯電話機の所持者に悪意がないと判断された後には、電話帳２００には、名前２０２の項目に「携帯電話機Ｃ」が追加して登録される。また、電話帳２００の電話番号２０４の項目には、携帯電話機Ｃに対応して「０９０１２３４５６７８」という電話番号が追加して登録される。
【００３０】
図３の説明に戻って、表示部１３６は、文字や画像などの各種情報を表示する液晶パネル等の出力インターフェースである。キー入力部１３８は、携帯電話機１００に設けられた各種の操作キーであり、ユーザから入力された操作を受け付ける入力インターフェースである。
【００３１】
プロセッサ１４０は、ＲＯＭ１３２又はＲＡＭ１３４に格納された各種プログラムを実行するＣＰＵ（Central  Processing  Unit）等の演算処理部である。プロセッサ１４０は、ＲＯＭ１３２又はＲＡＭ１３４に格納された各種プログラムを実行することにより、上述した無線部１０４、オーディオ入出力部１１２、表示部１３６、及びキー入力部１３８を制御する。なお、プロセッサ１４０で実行されるプログラムは、ＲＯＭ１３２又はＲＡＭ１３４に格納されるだけではなく、ＣＤ(Compact  Disc)−ＲＯＭやメモリ媒体等の頒布できる記憶媒体に記録しておき、記憶媒体から読み出して実行することができる。また、ネットワークを介して接続されたサーバにプログラムを格納し、サーバ上でプログラムが動作するようにしておいて、ネットワークを介して接続される携帯電話機１００からの要求に応じてサービスを要求元の携帯電話機１００に提供することもできる。
【００３２】
図６は、携帯電話機の機能ブロックを示す図である。図６に示すように、携帯電話機１００は、電話発信部１５２、着信履歴発信部１５４、登録判定部１５６、発信制御部１５８、ＳＭＳ受信部１６０、登録部１６２、及びガイダンス生成部１６４を備える。電話発信部１５２、着信履歴発信部１５４、登録判定部１５６、発信制御部１５８、ＳＭＳ受信部１６０、登録部１６２、及びガイダンス生成部１６４は、プロセッサ１４０がＲＯＭ１３２又はＲＡＭ１３４から各種プログラムを読み出して実行することによって実現される。
【００３３】
電話発信部１５２は、キー入力部１３８を介してテンキー入力によって入力された電話番号の携帯電話機に対して発信を行う。着信履歴発信部１５４は、携帯電話機１００の着信履歴に残された電話番号に対してリダイヤルすることにより発信を行う。
【００３４】
登録判定部１５６は、電話発信部１５２又は着信履歴発信部１５４によって発信された通信先の通信装置を特定する通信先識別子が、記憶部１３０に登録されているか否かを判定する。
【００３５】
発信制御部１５８は、登録判定部１５６によって通信先識別子が登録されていると判定されたら、通信先の通信装置に対する発信を行い、登録されていないと判定されたら、あらかじめ設定された特定の通信装置に対して発信を行う。
【００３６】
ＳＭＳ受信部１６０は、特定の通信装置（例えば、図１における携帯電話機Ｂ）から送信された無線信号（ＳＭＳ）を受信する。登録部１６２は、ＳＭＳ受信部１６０によって受信された無線信号に通信先識別子が含まれている場合には、その通信先識別子を記憶部１３０に登録する。
【００３７】
ガイダンス生成部１６４は、登録判定部１５６によって通信先識別子が登録されていないと判定され、発信制御部１５８によって特定の通信装置に対して発信が行われた後に、発信先の通信装置の確認を行う旨のガイダンスを生成してスピーカ１０８から出力する。
【００３８】
図７は、携帯電話機の処理のフローチャートである。図７は、携帯電話機１００が着信履歴に残された電話番号に発信を行った際の処理のフローチャートである。
【００３９】
図７に示すように、着信履歴発信部１５４は、着信履歴に残された電話番号に対する発信の指示を利用者から受け付ける（ステップＳ２０１）。続いて、登録判定部１５６は、発信先の電話番号が電話帳に登録されているか否かを判定する（ステップＳ２０２）。発信制御部１５８は、発信先の電話番号が電話帳に登録されている場合には（ステップＳ２０２、Ｙｅｓ）、そのまま発信先の携帯電話機へ発信を行う（ステップＳ２０３）。
【００４０】
一方、発信制御部１５８は、発信先の電話番号が電話帳に登録されていない場合には（ステップＳ２０２、Ｎｏ）、ＳＥＴＵＰ信号の付加情報に発信先の電話番号を追加する（ステップＳ２０４）。続いて、発信制御部１５８は、発信先を、あらかじめ設定された特定の通信装置の電話番号である特定電話番号に設定して（ステップＳ２０５）、音声発信を行う（ステップＳ２０６）。
【００４１】
続いて、ガイダンス生成部１６４は、「発信先を確認します。電話を切ってしばらくお待ちください」などのガイダンスを生成して、スピーカ１０８から出力させる（ステップＳ２０７）。そして、着信履歴発信部１５４は、呼を切断する（ステップＳ２０８）。
【００４２】
その後、ＳＭＳ受信部１６０は、ＳＭＳを受信したか否かを判定する（ステップＳ２０９）。ＳＭＳ受信部１６０は、ＳＭＳを受信していないと判定したら（ステップＳ２０９、Ｎｏ）、ＳＭＳを受信するまでステップＳ２０９の判定を繰り返す。
【００４３】
一方、ＳＭＳ受信部１６０は、ＳＭＳを受信したと判定したら（ステップＳ２０９、Ｙｅｓ）、ｖＣａｒｄ付きＳＭＳを受信したか否かを判定する（ステップＳ２１０）。ＳＭＳ受信部１６０は、ｖＣａｒｄ付きＳＭＳを受信していないと判定したら（ステップＳ２１０、Ｎｏ）、通常どおりＳＭＳを受信して（ステップＳ２１１）、処理を終了する。
【００４４】
一方、登録部１６２は、ｖＣａｒｄ付きＳＭＳを受信したと判定したら（ステップＳ２１０、Ｙｅｓ）、ｖＣａｒｄによって通知された電話帳データを記憶部１３０に追加して（ステップＳ２１２）、処理を終了する。
【００４５】
なお、本実施形態では、着信履歴に残された電話番号にコールバックした場合を例に説明したが、これには限られない。すなわち、キー入力部１３８を介してテンキー入力によって入力された電話番号の携帯電話機に対して発信を行う場合にも同様に適用することができる。以下、テンキー入力によって入力された電話番号の携帯電話機に対して発信を行った場合の携帯電話機１００の処理を説明する。
【００４６】
図８は、携帯電話機の処理のフローチャートである。図８に示すように、電話発信部１５２は、テンキーによる電話番号の入力が行われたか否かを判定する（ステップＳ３０１）。電話発信部１５２は、テンキーによる電話番号の入力が行われていないと判定されたら（ステップＳ３０１、Ｎｏ）、ステップＳ３０１の判定を繰り返す。
【００４７】
一方、電話発信部１５２は、テンキーによる電話番号の入力が行われたと判定されたら（ステップＳ３０１、Ｙｅｓ）、テンキーによって入力された電話番号に発信する（ステップＳ３０２）。続いて、登録判定部１５６は、発信先の電話番号が電話帳に登録されているか否かを判定する（ステップＳ３０３）。発信制御部１５８は、発信先の電話番号が電話帳に登録されている場合には（ステップＳ３０３、Ｙｅｓ）、そのまま発信先の携帯電話機へ発信を行う（ステップＳ３０４）。
【００４８】
一方、発信制御部１５８は、発信先の電話番号が電話帳に登録されていない場合には（ステップＳ３０３、Ｎｏ）、ＳＥＴＵＰ信号の付加情報に発信先の電話番号を追加する（ステップＳ３０５）。続いて、発信制御部１５８は、発信先を、あらかじめ設定された特定の通信装置の電話番号である特定電話番号に設定して（ステップＳ３０６）、音声発信を行う（ステップＳ３０７）。
【００４９】
続いて、ガイダンス生成部１６４は、「発信先を確認します。電話を切ってしばらくお待ちください」などのガイダンスを生成して、スピーカ１０８から出力させる（ステップＳ３０８）。そして、電話発信部１５２は、呼を切断する（ステップＳ３０９）。
【００５０】
その後、ＳＭＳ受信部１６０は、ＳＭＳを受信したか否かを判定する（ステップＳ３１０）。ＳＭＳ受信部１６０は、ＳＭＳを受信していないと判定されたら（ステップＳ３１０、Ｎｏ）、ＳＭＳを受信するまでステップＳ３１０の判定を繰り返す。
【００５１】
一方、ＳＭＳ受信部１６０は、ＳＭＳを受信したと判定されたら（ステップＳ３１０、Ｙｅｓ）、ｖＣａｒｄ付きＳＭＳを受信したか否かを判定する（ステップＳ３１１）。ＳＭＳ受信部１６０は、ｖＣａｒｄ付きＳＭＳを受信していないと判定されたら（ステップＳ３１１、Ｎｏ）、通常どおりＳＭＳを受信して（ステップＳ３１２）、処理を終了する。
【００５２】
一方、登録部１６２は、ｖＣａｒｄ付きＳＭＳを受信したと判定されたら（ステップＳ３１１、Ｙｅｓ）、ｖＣａｒｄによって通知された電話帳データを記憶部１３０に追加して（ステップＳ３１３）、処理を終了する。
【００５３】
以上のように、本実施形態の携帯電話機１００によれば、携帯電話機１００からの発信に起因するトラブルの発生を適切に防止することができる。すなわち、携帯電話機１００は、携帯電話機１００から他の通信装置に発信が行われる際に、発信先の通信装置を特定する識別子（例えば電話番号）が電話帳に登録されているか否かを判定する。そして、携帯電話機１００は、発信先の通信装置が電話帳に登録されている場合には発信先の通信装置の所有者が悪意のない者であると判断できるので、そのまま通常発信を行う。一方、携帯電話機１００は、発信先の通信装置の識別子が登録されていない場合は、あらかじめ設定された特定の通信装置に発信先を自動的に切り替えて、電話帳に登録されていない電話番号に発信が行われた旨が特定の通信装置に通知される。したがって、この通知を受けた特定の通信装置の所持者は、発信先の通信装置の所持者が悪意のある者であるか否かを事前に確認することができる。そして、確認の結果、発信先の通信装置の所持者に悪意がないと判断すれば、発信先の通信装置の電話番号を電話帳に登録することにより、発信先の通信装置の電話番号が携帯電話機１００に送信され、携帯電話機１００の電話帳にも登録される。よって、その後携帯電話機１００から発信先の通信装置へ発信が行われると、そのまま通常どおりに発信が行われる。また、仮に発信先の通信装置の所持者に悪意の疑いがある場合には、携帯電話機１００には発信先の通信装置の電話番号が登録されないので、携帯電話機１００から発信先の通信装置へ直接発信が行われることを防止することができる。
【００５４】
なお、本実施形態は、主に携帯電話機を中心に説明したが、これに限らず、あらかじめ用意された通信制御プログラムをコンピュータで実行することによって、上述の実施形態と同様の機能を実現することができる。すなわち、通信制御プログラムは、通信装置に、発信指示された通信先の通信装置を特定する通信先識別子が、あらかじめ通信装置を特定する識別子が登録された記憶部に登録されているか否かを判定する処理を実行させる。また、通信制御プログラムは、前記判定の結果、前記通信先識別子が登録されていると判定されたら、前記通信先の通信装置に対する発信を行い、登録されていないと判定されたら、あらかじめ設定された特定の通信装置に対して発信を行う処理を実行させる。なお、通信制御プログラムは、インターネットなどの通信ネットワークを介してコンピュータに配布することができる。また、通信制御プログラムは、受信機に設けられたメモリ、ハードディスク、その他のコンピュータで読み取り可能な記録媒体に記録され、コンピュータによって記録媒体から読み出されることによって実行することもできる。
【符号の説明】
【００５５】
１００  携帯電話機
１０８  スピーカ
１３０  記憶部
１４０  プロセッサ
１５２  電話発信部
１５４  着信履歴発信部
１５６  登録判定部
１５８  発信制御部
１６０  ＳＭＳ受信部
１６２  登録部
１６４  ガイダンス生成部
【図１】
2012244473.tif 000003
【図２】
2012244473.tif 000004
【図３】
2012244473.tif 000005
【図４】
2012244473.tif 000006
【図５】
2012244473.tif 000007
【図６】
2012244473.tif 000008
【図７】
2012244473.tif 000009
【図８】
2012244473.tif 000010